(57)【要約】      （修正有）【課題】排水モーターの排水効率を効果的に向上させることができる排水羽根を提供する。【解決手段】排水羽根１０は凹状円盤体１１およびシャフトを備える。凹状円盤体は円盤１３および環状壁面１５を有する。シャフトは円盤と一定距離を保ちながら円盤を貫通し、軸上部および軸下部２５に分けられる。軸上部は円盤の上方に位置し、複数の径方向に沿って外側へ伸びていく支持リブ２７を有する。複数の支持リブは凹状円盤体に連結される。軸下部は円盤の下方に位置する多辺形柱体である。多辺形柱体は複数の側壁面２６１と、多辺形柱体の断面に対応する底面２６３とを有する。複数の側壁面は二つずつ隣り合う辺縁部が相互に連結されて形成した細長い角面２６５を有する。多辺形柱体は円盤に対して底面から一定角度に至るまで捻じれ、複数の側壁面および複数の角面を傾斜させる。【選択図】図２
2019183604.tif 000002
【特許請求の範囲】
【請求項１】
凹状円盤体およびシャフトを備え、
前記凹状円盤体は、円盤および環状壁面を有し、前記環状壁面は前記円盤の周縁部から上に伸びて形成され、
前記シャフトは、前記円盤と一定距離を保ちながら前記円盤を貫通し、軸上部および軸下部に分けられ、前記軸上部は前記円盤の上方に位置し、駆動軸に連結され、かつ複数の径方向に沿って外側へ伸びていく支持リブを有し、複数の前記支持リブは前記凹状円盤体に連結され、底部が前記円盤に連結され、外側端部が前記環状壁面に連結されるため、前記軸上部、複数の前記支持リブおよび前記円盤の間には複数の流路が形成され、
前記軸下部は、円盤の下方に位置する多辺形柱体であり、
前記多辺形柱体は複数の側壁面と、前記多辺形柱体の断面に対応する底面とを有し、
複数の前記側壁面は前記底面の辺部に連結され、二つずつ隣り合う辺縁部が相互に連結されて形成した細長い角面を有し、
前記多辺形柱体は前記円盤に対して前記底面から一定角度に至るまで捻じれ、複数の前記側壁面および複数の前記角面を傾斜させ、前記底面からの捩れ方向を前記駆動軸の駆動力による旋転方向と一致させることを特徴とする、
排水羽根。
【請求項２】
前記角面は先端部が一つの前記支持リブに対応することを特徴とする請求項１に記載の排水羽根。
【請求項３】
前記多辺形柱体は三角柱であることを特徴とする請求項１に記載の排水羽根。
【請求項４】
前記多辺形柱体の前記底面から捻じれる程度は、前記角面の末端部が別の前記角面の先端部に垂直の仮設垂直線を超えない範囲に維持されることを特徴とする請求項１に記載の排水羽根。
【請求項５】
前記側壁面は曲面であり、前記角面は湾曲して細長く伸びる形であることを特徴とする請求項１に記載の排水羽根。
【請求項６】
前記軸下部は、複数の凸状リブを有し、複数の前記凸状リブは完全に前記角面に被さり、末端部に形成された円弧部を有し、それぞれの前記凸状リブの前記円弧部は前記多辺形柱体の前記底面のそれぞれの角部に連結されることを特徴とする請求項１に記載の排水羽根。
【発明の詳細な説明】
【技術分野】
【０００１】
本発明は、排水モーターに関し、詳しくは排水羽根に関するものである。
【背景技術】
【０００２】
特許文献１により掲示された排水羽根において、円盤の下方に位置するシャフトは多辺形の柱体である。多辺形の柱体は複数の平面と、複数の平面が二つずつ相互に連結されて形成した角形の細長い面とを有する。円盤の下方に位置する支持リブは多辺形の柱体のそれぞれの平面および細長い面に連結される。上述した構造特徴により、多辺形の柱体は複数の平面によって渦巻きを生成し、撥水効果および排水効率を向上させ、複数の細長い面によって気泡を抑制し、騒音を低減することができる。
【０００３】
特許文献１は構造を改良することによって渦巻きを生成できるが、下方から上方の円盤に接近する水流を生成できないため、排水モーターの排水効率は限定される。従って、上述した排水モーターの排水効率には改善の余地がある。
【先行技術文献】
【特許文献】
【０００４】
【特許文献１】台湾特許ＴＷＩ６００８６２号公報
【発明の概要】
【発明が解決しようとする課題】
【０００５】
本発明は、水を上に弾いて下方から上方の凹状円盤体に接近する水流を生成することによって、凹状円盤体を介して水を誘導して排水口から排出する際の利便性をはかり、排水モーターの排水効率を効果的に向上させることができる排水羽根を提供することを主な目的とする。
【０００６】
本発明は、騒音を効果的に低減できる排水羽根を提供することをもう一つの目的とする。
【課題を解決するための手段】
【０００７】
上述した課題を解決するため、排水羽根は凹状円盤体およびシャフトを備える。凹状円盤体は円盤および環状壁面を有する。環状壁面は円盤の周縁部から上に伸びて形成される。シャフトは円盤と一定距離を保ちながら円盤を貫通し、軸上部および軸下部に分けられる。軸上部は円盤の上方に位置し、駆動軸に連結され、かつ複数の径方向に沿って外側へ伸びていく支持リブを有する。複数の支持リブは凹状円盤体に連結され、底部が円盤に連結され、外側端部が環状壁面に連結されるため、軸上部、複数の支持リブおよび円盤の間には複数の流路が形成される。その特徴は次の通りである。軸下部は円盤の下方に位置する多辺形柱体である。多辺形柱体は複数の側壁面と、多辺形柱体の断面に対応する底面とを有する。複数の側壁面は底面の辺部に連結され、二つずつ隣り合う辺縁部が相互に連結されて形成した細長い角面を有する。多辺形柱体は円盤に対して底面から一定角度に至るまで捻じれ、複数の側壁面および複数の角面を傾斜させ、底面からの捩れ方向を駆動軸の駆動力による旋転方向と一致させる。
【０００８】
上述した特徴により、本発明による排水羽根は水を上に弾いて下方から上方の円盤に接近する水流を生成することによって、凹状円盤体を介して水を誘導し、排水口から排出する際の利便性をはかり、排水モーターの排水効率を効果的に向上させることができる。
【０００９】
上述した特徴により、本発明による排水羽根は騒音を効果的に低減できる。
【図面の簡単な説明】
【００１０】
【図１】本発明の第1実施形態による排水羽根を示す正面側斜視図である。
【図２】本発明の第1実施形態による排水羽根を示す背面側斜視図である。
【図３】図１中の３−３線に沿った断面図である。
【図４】本発明の第1実施形態による排水羽根が使用される状態を示す断面図である。
【図５】本発明の第２実施形態による排水羽根を示す背面側斜視図である。
【発明を実施するための形態】
【００１１】
以下、本発明による排水羽根を図面に基づいて説明する。
【００１２】
（第１実施形態）
図１から図４に示すように、本発明の第1実施形態による排水羽根１０は凹状円盤体１１およびシャフト２１から構成される。
【００１３】
凹状円盤体１１は、円盤１３および環状壁面１５を有する。環状壁面１５は円盤１３の周縁部から上に伸びて形成される。
【００１４】
シャフト２１は、円盤１３と一定距離を保ちながら円盤１３を貫通し、軸上部２３および軸下部２５に分けられる。軸上部２３は円盤１３の上方に位置し、駆動軸１００に連結され、かつ複数の径方向に沿って外側へ伸びていく支持リブ２７を有する。複数の支持リブ２７は凹状円盤体１１に連結され、底部が円盤１３に連結され、外側端部が環状壁面１５に連結されるため、軸上部２３、複数の支持リブ２７および円盤１３の間には複数の流路１７が形成される。
軸下部２５は円盤１３の下方に位置し、多辺形柱体２６から形成される。本実施形態において、多辺形柱体２６は三角柱であり、三つの側壁面２６１と、多辺形柱体１６の断面に対応する底面２６３とを有する。三つの側壁面２６１は底面２６３のそれぞれの辺部に連結され、二つずつ隣り合う辺縁部が相互に連結されて形成した細長い角面２６５を有する。それぞれの角面２６５は先端部が一つの支持リブ２７に対応する。
多辺形柱体２６は円盤１３に対して底面２６３から一定角度に至るまで捻じれ、それぞれの側壁面２６１および角面２６５を傾斜させるため、それぞれの側壁面２６１は曲面になり、それぞれの角面２６５は傾斜かつ彎曲して細長く伸びる形になる。多辺形柱体２６は底面２６３からの捩れ方向が駆動軸１００の駆動力による旋転方向と一致する。多辺形柱体２６の底面２６３から捻じれる程度は角面２６５の末端部が別の角面２６５の先端部に垂直の仮設垂直線Ｌ１を超えない範囲に維持される。側壁面２６１は傾斜した曲面に形成される。角面２６５は傾斜かつ湾曲して細長く伸びる形に形成される。
上述した技術特徴により、本発明の第1実施形態による排水羽根１０と駆動軸１００とを連結し、使用すれば、水を上に弾いて下方から上方の凹状円盤体１１に接近する水流を生成することによって、凹状円盤体１１を介して水を誘導し、排水口９８から排出する際の利便性をはかり、排水モーターの排水効率を効果的に向上させ、騒音を低減することができる。
【００１５】
別の実施形態において、側壁面２６１および角面２６５が水を上に弾くことさえできれば、本発明の別の実施形態に適用できる。多辺形柱体２６は四角柱、五角柱などになってもよい。つまり、多辺形柱体２６は上述した実施形態に限定されず、形だけが変化するため、図面に表示されない。側壁面２６１は傾斜した平面になってもよい。角面２６５は傾斜して細長く伸びる平面になってもよい。
上述した構造変化により、同様に水を上に弾いて下方から上方の凹状円盤体１１に接近する水流を生成することによって、凹状円盤体１１を介して水を誘導し、排水口９８から排出する際の利便性をはかり、排水モーターの排水効率を効果的に向上させ、騒音を低減することができる。つまり、側壁面２６１および角面２６５の形は上述した実施形態に限定されない。一方、角面２６５は必ずしも先端部が一つの支持リブ２７に対応するとは限らず、一部分が一つの支持リブ２７に対応するか、全部が支持リブ２７に対応しないように配置されてもよい。つまり、角面２６５と支持リブ２７との配置関係は上述した実施形態に限定されない。
【００１６】
上述したとおり、本発明の第1実施形態による排水羽根１０は、水を上に弾いて下方から上方の凹状円盤体１１に接近する水流を生成することによって、凹状円盤体１１を介して水を誘導し、排水口９８から排出する際の利便性をはかり、排水モーターの排水効率を効果的に向上させることができる。
【００１７】
上述したとおり、本発明の第1実施形態による排水羽根１０は騒音を低減する効果を果たすことができる。
【００１８】
以上は本発明の第1実施形態の構造についての説明である。続いて、第1実施形態の作動状態について説明を進める。
【００１９】
図２から図４に示すように、本発明による排水羽根１０が排水モーターの集水槽９９に装着される際、シャフト２１は先端部が駆動軸１００に連結され、底部２６３からの捩れ方向が駆動軸１００の駆動力による旋転方向と一致する。複数の側壁面２６１は二つずつ隣り合う辺縁部が相互に連結されて形成した細長い角面２６５を有する。それぞれの側壁面２６１は傾斜した曲面である。それぞれの角面２６５は傾斜かつ彎曲して細長く伸びる形である。
駆動軸１００が駆動力によって回転する際、図４に示すように、複数の側壁面２６１および角面２６５は集水槽９９内の水（矢印表示）の流動を促す。集水槽９９内の水は複数の側壁面２６１および角面２６５に沿って上へ流動し、複数の流路１７を通過し、排水口９８から流出する。上述した複数の側壁面２６１および角面２６５の構造により、撥水する際に生じた水の抵抗を低下させ、気泡発生を抑制し、騒音を低減する効果を果たすことができる。
【００２０】
上述したとおり、本発明の第１実施形態は複数の側壁面および角面の構造により、水を上に弾いて下方から上方の凹状円盤体に接近する水流を生成することによって、凹状円盤体を介して水を誘導し、排水口から排出する際の利便性をはかり、排水モーターの排水効率を効果的に向上させることができる。
【００２１】
上述したとおり、本発明は側壁面および角面の構造により、騒音を低減する効果を果たすことができる。
【００２２】
（第２実施形態）
図５に示したのは本発明の第２実施形態による排水羽根１０’である。第１実施形態との違いは下記のとおりである。
【００２３】
第２実施形態において、軸下部２５’は複数の凸状リブ２９’を有する。複数の凸状リブ２９’は完全に角面２６５’に被さり、末端部に形成された円弧部２９１’を有する。それぞれの凸状リブ２９’の円弧部２９１’は底面２６３’のそれぞれの角部に連結される。
【００２４】
第２実施形態の構造および達成した効果は第１実施形態とほぼ同じであるため、説明を省略する。
【符号の説明】
【００２５】
１０、１０’  排水羽根  
１１  凹状円盤体
１３  円盤  
１５  環状壁面  
１７  流路  
２１  シャフト  
２３  軸上部  
２５、２５’  軸下部  
２６  多辺形柱体  
２６１  側壁面
２６３、２６３’  底面  
２６５、２６５’  角面  
２７  支持リブ  
２９’  凸状リブ  
２９１’  円弧部  
９８  排水口  
９９  水槽  
１００  駆動軸  
Ｌ１  仮説垂直線
【図１】
2019183604.tif 000003
【図２】
2019183604.tif 000004
【図３】
2019183604.tif 000005
【図４】
2019183604.tif 000006
【図５】
2019183604.tif 000007
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
凹状円盤体およびシャフトを備え、
前記凹状円盤体は、円盤および環状壁面を有し、前記環状壁面は前記円盤の周縁部から上に伸びて形成され、
前記シャフトは、前記円盤と一定距離を保ちながら前記円盤を貫通し、軸上部および軸下部に分けられ、前記軸上部は前記円盤の上方に位置し、駆動軸に連結され、かつ複数の径方向に沿って外側へ伸びていく支持リブを有し、複数の前記支持リブは前記凹状円盤体に連結され、底部が前記円盤に連結され、外側端部が前記環状壁面に連結されるため、前記軸上部、複数の前記支持リブおよび前記円盤の間には複数の流路が形成され、
前記軸下部は、円盤の下方に位置する多辺形柱体であり、
前記多辺形柱体は平面に形成した複数の側壁面と、前記多辺形柱体の断面に対応する底面とを有し、
複数の前記側壁面は前記底面の辺部に連結され、二つずつ隣り合う辺縁部が相互に連結されて平面に形成した細長い角面を有し、
前記多辺形柱体は前記円盤に対して前記底面から一定角度に至るまで捻じれ、複数の前記側壁面および複数の前記角面を傾斜させ、前記底面からの捩れ方向を前記駆動軸の駆動力による旋転方向と一致させることを特徴とする、
排水羽根。
【請求項２】
前記角面は先端部が一つの前記支持リブに対応するように、支持リブに連続して形成したことを特徴とする請求項１に記載の排水羽根。
【請求項３】
前記多辺形柱体は三角柱であることを特徴とする請求項１に記載の排水羽根。
【請求項４】
前記多辺形柱体の前記底面から捻じれる程度は、前記角面の末端部が別の前記角面の先端部に垂直の仮設垂直線を超えない範囲に維持されることを特徴とする請求項１に記載の排水羽根。
【請求項５】
前記側壁面は曲面であり、前記角面は湾曲して細長く伸びる形であることを特徴とする請求項１に記載の排水羽根。
【請求項６】
前記軸下部は、複数の凸状リブを有し、複数の前記凸状リブは完全に前記角面に被さり、末端部に形成された円弧部を有し、それぞれの前記凸状リブの前記円弧部は前記多辺形柱体の前記底面のそれぞれの角部に連結されることを特徴とする請求項１に記載の排水羽根。